(57)【要約】【課題】各楽曲専用のカラオケ映像作品を簡単に選択でき、そのカラオケ映像作品を楽曲演奏時に上映する。【解決手段】伴奏音楽と歌詞字幕の起源となるカラオケ音楽データを楽曲ＩＤに対応付けして記憶するカラオケ音楽データベースと、伴奏音楽の演奏時に出力するカラオケ映像作品を映像ＩＤに対応付けして記憶するカラオケ映像データベースと、ある楽曲の演奏時に選択可能な複数のカラオケ映像作品を特定する楽曲ＩＤと映像ＩＤとの対応関係を記憶する音楽映像対応関係手段と、リクエスト楽曲のＩＤとその楽曲の演奏時に選択可能な複数のカラオケ映像作品の中から一つを特定する映像選択情報とを待ち行列に登録するリクエスト受付手段と、待ち行列の登録情報と音楽映像対応関係記憶手段の記憶情報とに基づいて、出力処理するカラオケ音楽データの楽曲ＩＤとカラオケ映像作品の映像ＩＤとを特定する制御手段とを備えたカラオケ装置とした。【選択図】　　　図２
2004004270.tif 000002
【特許請求の範囲】
【請求項１】
カラオケ音楽データベース、カラオケ映像データベース、音楽映像対応関係記憶手段、リクエスト受付手段、制御手段を備え、
カラオケ音楽データベースは、カラオケ伴奏音楽と歌詞字幕の起源となるカラオケ音楽データを楽曲ＩＤに対応付けして記憶し、
カラオケ映像データベースは、カラオケ伴奏音楽の演奏とともに出力するカラオケ映像作品を映像ＩＤに対応付けして記憶し、
音楽映像対応関係手段は、ある楽曲の演奏時に選択可能な複数のカラオケ映像作品を特定する楽曲ＩＤと映像ＩＤとの対応関係を記憶し、
リクエスト受付手段は、リクエスト曲の楽曲ＩＤと、その楽曲の演奏時に選択可能な複数のカラオケ映像作品の中から一つを特定する映像選択情報とを待ち行列に登録し、
制御手段は、待ち行列の登録情報と音楽映像対応関係記憶手段の記憶情報とに基づいて、出力処理するカラオケ音楽データの楽曲ＩＤとカラオケ映像作品の映像ＩＤとを特定する、
ことを特徴とするカラオケ装置。
【発明の詳細な説明】
【０００１】
【発明の属する技術分野】
本発明は、カラオケ楽曲を演奏する際に各楽曲に合わせて制作された楽曲専用のカラオケ映像作品を選択的に提供できるカラオケ装置に関する。
【０００２】
【従来の技術】
特開平８−６５７９号公報には、カラオケ演奏時の歌詞背景映像を利用者が主体的に選択できるように構成されたカラオケ装置が開示されている。
このカラオケ装置においては、各楽曲はその曲調によって複数種類に分類されていて、カラオケ楽曲データベースに蓄積されている各楽曲データにはその分類識別子である曲調ジャンル識別子が付加されており、固有の映像番号で区別される各背景映像はその雰囲気がどのような曲調の背景表示に適しているのかという観点で分類されていて、背景映像データベースに蓄積されている各区分の背景映像データには前記曲調ジャンル識別子が付加されている。また、各区分の背景映像データはその内容がどのような映像要素で構成されているかという観点でも分類されており、その分類識別子である映像ジャンル識別子が各背景映像データに付加されている。そして、カラオケ装置はつぎのように背景映像を選択して出力する。
【０００３】
（１）利用者が曲番号のみをリモコンで指定した場合、そのリクエスト曲の曲調ジャンル識別子と同じ曲調ジャンル識別子の付いた背景映像データの中から１区分の背景映像を自動的に選んで出力する。
（２）利用者が曲番号に加えて映像番号をリモコンで指定した場合、映像番号で特定される背景映像データを出力する。楽曲の演奏途中であっても、リモコンで映像番号を入力すると、該当する背景映像に切り替わる。
（３）利用者が曲番号に加えて映像ジャンルをリモコンで指定した場合、その映像ジャンルに分類されている背景映像データの中から１区分の背景映像を自動的に選んで出力する。
【０００４】
【発明が解決しようとする課題】
映像に関連した電子技術や情報技術が飛躍的に進歩したことにより、映像作品を制作することが高価な機材と専門知識のある少数の専門家だけの仕事ではなくなった。多くの人々が、高性能で安価な機材を利用して映像作品を制作する楽しみを手にし、さまざまな立場で映像制作の仕事をするようになった。このような時代的背景が音楽制作のあり方にも大きな影響を与え、音楽は映像と一体不可分の作品として取り扱われる傾向が強くなってきた。
【０００５】
最近流行のアーチスト達は、音楽だけを収録したＣＤタイトルとして作品を発表するのではなく、音楽と映像の合体した作品として制作してＤＶＤタイトルとして発表することが多くなってきた。あるアーチストの同一楽曲についても、新曲発売時にはある映像作品と組み合わせてＤＶＤタイトルを制作し、またライブコンサートの映像と組み合わせて別のＤＶＤタイトルを制作し、「懐かしの映画音楽」といった企画編集ものと呼ばれるＤＶＤタイトルの制作時には別の映像と組み合わせて作品化する。このように音楽を映像と不可分の作品と捉えた制作手法は多くのアーチストやプロデューサーに受け入れられ、すでに多くのＤＶＤタイトルが発売されている。この傾向がこれからの音楽産業の主流になるであろう。
【０００６】
この傾向は当然カラオケの分野にも波及する。カラオケで歌いながら、その楽曲に合わせて制作されたカラオケ映像作品を楽しむことが、カラオケの重要な要素となる。また、ある楽曲に合わせてさまざまな人がカラオケ映像作品を制作し、それらの作品を利用者が選択して見ることができれば、カラオケの楽しみが大きくふくらむ。
【０００７】
このような機能をカラオケ装置で実現するには、各楽曲に対応づけした膨大な量のカラオケ映像作品をデータベース化して取り扱うことになる。そして、あるカラオケ楽曲を演奏するときには、その楽曲用に制作されたカラオケ映像作品のグループの中から希望の映像作品を選出する手続き（ユーザインタフェース）が新たに必要になる。
【０００８】
前述した特開平８−６５７９号公報に開示のカラオケ装置は、曲番号とともに映像番号をリモコンで入力すれば、その映像番号で特定される１区分の背景映像をカラオケ演奏時に出力させることができる。しかし、このユーザインタフェースは、カラオケ楽曲とカラオケ映像作品との一体化を図った制作意図に適合するものではない。たとえばデータベースに２万曲の楽曲が登録されており、各楽曲に３〜５作品の専用のカラオケ映像が登録されているとすると、カラオケ映像作品は合計で６万〜１０万にもなるわけで、これを個々の映像番号に基づいて利用者が指定するというのは不便きわまりないことになる。
【０００９】
この発明は前記の問題点に鑑みなされたもので、その目的は、カラオケ楽曲とカラオケ映像作品との一体化する制作意図に従って構築されたデータベースを備え、あるカラオケ楽曲を演奏するときには、その楽曲用に制作されたカラオケ映像作品のグループの中から希望の映像作品を選出する手続きをきわめて合理的に処理でき、使い勝手がよいとともに、そのユーザインタフェースのプロセス自体にも新たな趣味性を持たせたカラオケ装置を提供することにある。
【００１０】
【課題を解決するための手段】
上記目的を達成するための本発明に係るカラオケ装置は、つぎの要件（１）〜（６）を備えている。
（１）カラオケ音楽データベース、カラオケ映像データベース、音楽映像対応関係記憶手段、リクエスト受付手段、制御手段を備えている。
（２）カラオケ音楽データベースは、カラオケ伴奏音楽と歌詞字幕の起源となるカラオケ音楽データを楽曲ＩＤに対応付けして記憶している。
（３）カラオケ映像データベースは、カラオケ伴奏音楽の演奏とともに出力するカラオケ映像作品を映像ＩＤに対応付けして記憶している。
（４）音楽映像対応関係手段は、ある楽曲の演奏時に選択可能な複数のカラオケ映像作品を特定する楽曲ＩＤと映像ＩＤとの対応関係を記憶している。
（５）リクエスト受付手段は、リクエスト曲の楽曲ＩＤと、その楽曲の演奏時に選択可能な複数のカラオケ映像作品の中から一つを特定する映像選択情報とを待ち行列に登録する。
（６）制御手段は、待ち行列の登録情報と音楽映像対応関係記憶手段の記憶情報とに基づいて、出力処理するカラオケ音楽データの楽曲ＩＤとカラオケ映像作品の映像ＩＤとを特定する。
【００１１】
【発明の実施の形態】
＝＝＝カラオケ装置の構成とデータベース構造＝＝＝
図１に本発明の実施例におけるカラオケ装置の機能ブロック図を示した。このカラオケ装置１のハードウエアは、通信カラオケシステム用の演奏端末と同様であり、中央制御部２、ハードデイスク装置３、操作制御部７、ビデオＲＡＭ１２、映像制御部１３、通信制御部１５、操作パネル６を備えたコンピュータの基本構成にシンセサイザ８とミキシングアンプ９とを加えた構成となっている。そして、リモコン送信器５、スピーカ１０、マイクロホン１１、およびディスプレイ１４を付帯している。
【００１２】
中央制御部２は、ホスト装置から通信制御部１５を介して受信したカラオケ音楽データをハードディスク装置３に格納し、これを楽曲ＩＤに対応付けしてカラオケ音楽データベースとして管理している。また、ハードディスク装置３には、背景映像の生成起源となる適宜なデータ形式（ＭＰＥＧ１など）の長時間分の映像データが格納されており、長時間分の映像を短時間分の多数の映像として管理し、各短時間分の映像を映像ＩＤによって識別管理するためのカラオケ映像データベースが構築されている。本実施例では、短時間分の映像の一つ一つが映像ファイルに作成されており、各映像ファイル名を映像ＩＤとしている。もちろん、映像ＩＤを番号や記号によって表記し、各映像ＩＤに映像データの所在やファイル名を対応付けして管理するように構成してもよい。
【００１３】
本実施例において、映像ファイルは、その映像内容に従って、共用映像ファイルと特定の楽曲専用に作成されたカラオケ映像作品である専用映像ファイルとに分類される。共用映像ファイルは、従来の楽曲生成方式のカラオケ装置における背景映像の表示制御機能に供され、楽曲の演奏中に複数つなぎ合わされる短時間分の映像に相当する。専用映像ファイルは、そのファイル自体が特定の楽曲の内容と演奏時間とに合わせて特別に制作された一つの映像作品に相当する。
【００１４】
なおカラオケ音楽データベースには、各楽曲の演奏時に使用される共用映像フィルとその処理順番と処理の開始タイミングなどを規定した映像台本情報が対応付けされており、楽曲に対応付けされたカラオケ映像作品がない場合や利用者がカラオケ映像作品の上映を望まない場合、背景映像はこの映像台本情報に基づいて表示される。
【００１５】
一方、専用のカラオケ映像作品が対応付けされている楽曲については、楽曲ＩＤと映像ＩＤとの対応関係を記述した情報（音楽映像対応関係情報）がハードディスク装置３に格納されており、利用者が該当の楽曲を指定した上で、上映希望の映像作品を指定すれば、その楽曲演奏中に指定の映像作品がディスプレイ１４に表示される。図２に本実施例におけるカラオケ音楽データベースと、音楽映像対応関係情報の概略構造図を示した。一つの楽曲ＩＤにカラオケ音楽データの所在、属性情報、台本情報、および音楽映像対応関係情報が対応付けされており、音楽映像対応関係情報はカラオケ音楽データベースに付帯している。音楽映像対応関係情報には、楽曲ＩＤに対応付けされているカラオケ映像作品について、その映像選択情報が記載されているとともに、各映像選択情報に映像ＩＤに相当する専用映像ファイル名が対応付けされている。
【００１６】
＝＝＝カラオケ装置の動作＝＝＝
本実施例において、カラオケ楽曲にカラオケ映像作品が対応付けされているかどうかがカラオケ会場に備え付けられている目次本に記載されている。具体的には、カラオケ楽曲の楽曲ＩＤ（所定桁数の楽曲番号）・曲名・アーティスト名に加え、その楽曲専用に用意されているカラオケ映像作品のうちの１つを特定するための選択肢番号（１，２，３など）とを記載しておく。もちろん、選択肢が一つしかない場合もある。この選択肢番号は映像選択情報に該当する。また、各選択肢番号ごとに映像作品の内容説明も併わせて記載しておく。図３にこの目次本の記載内容を示した。
【００１７】
利用者は、リモコン送信器５や操作パネル６を操作し、楽曲番号に引き続き、上映を希望するカラオケ映像作品の選択肢番号の数字のキーを押すと、楽曲ＩＤと選択肢番号とがカラオケ装置１に入力される。中央制御部２は、楽曲ＩＤと選択肢番号を操作制御部７を介して受け取り、これらを所定の記憶領域に格納して演奏処理の待ち行列で管理する。
【００１８】
中央制御部２は、待ち行列に登録された楽曲ＩＤを順番に従ってピックアップし、その楽曲ＩＤをカラオケ音楽データベースに照会してカラオケ音楽データの所在情報を取得する。このピックアップした楽曲ＩＤに選択肢番号が対応付けされていれば、カラオケ音楽データベースにおける音楽映像対応関係情報を参照し、当該選択肢番号に対応する映像ＩＤを取得する。そして、該当のカラオケ音楽データと映像ファイルとをハードディスク装置３から読み出す。
【００１９】
中央制御部２は、カラオケ音楽データ中のＭＩＤＩデータをシンセサイザ８に転送するとともに、歌詞描出データを処理して歌詞字幕のビットマップ画像をビデオＲＡＭ１２に展開していく。また、取り出した映像ファイルを映像制御部１３に転送する。映像制御部１３は、映像データの復号回路やビデオＲＡＭ１２上の画像データを映像信号に変換するための回路などを内蔵し、中央制御部２から与えられた映像ファイルを復号してビデオＲＡＭ１２に展開されている歌詞字幕をビデオＲＡＭ１２上で合成する。そして、その合成画像をビデオ信号に変換出力する。それによって、歌詞字幕入りのカラオケ映像作品がディスプレイ１４に上映される。
【００２０】
なお、カラオケ映像作品が対応付けされていない楽曲がリクエストされたり、カラオケ映像作品が対応付けされていても利用者が楽曲ＩＤのみを入力したりした場合には、中央制御部２は、カラオケ音楽データベースに記載されている該当の映像台本情報に従って、指定の映像ファイルを指定の順番で指定のタイミングで順次映像制御部１３に転送していく。それによって、共用映像がつなぎ合わされて一連の背景映像に編集されてディスプレイ１４に映像出力される。
【００２１】
＝＝＝変更例１＝＝＝
カラオケ映像作品が対応付けされているかどうかを利用者に告知する方式としては、印刷された目次本にその旨を記載する以外に、電子目次本と呼ばれるタッチパネルを主体としたユーザインタフェースとＧＵＩによる楽曲索引機能とを備えたリモコン送信器を使う方式がある。
図４（Ａ）（Ｂ）のそれぞれに電子目次本の外観図と機能ブロック図とを示した。電子目次本２０の構成はパーソナルコンピュータなどの汎用コンピュータと基本的には同じであり、ＣＰＵ・ＲＡＭ・ＲＯＭ・ビデオＲＡＭなどを内蔵してコンピュータ本体として機能するリモコン制御部２１によって統括制御されている。外部記憶として機能するフラッシュメモリ２２には楽曲ＩＤ毎に属性情報とカラオケ映像作品の映像選択情報と映像作品の説明情報とを対応付けした索引情報が格納され、リモコン制御部２１は、この情報を楽曲索引データベースとして管理している。リモコン制御部２１は、ＲＳ２３２Ｃ規格の通信ＩＦ（インタフェース）２３を介してカラオケ装置などの外部コンピュータと通信し、新規のカラオケ楽曲についての索引情報を取り込んでフラッシュメモリ２２に格納し、楽曲索引データベースを適時に更新する。なお、カラオケ装置１とのデータ通信に基づいて楽曲索引データベースを更新する場合には、カラオケ装置１の音楽映像対応関係情報にカラオケ映像作品の説明情報を含ませ、電子目次本２０は、この音楽映像対応関係情報とカラオケ音楽データベースとから楽曲索引データベースに供される各種データを取得するように構成すればよい。
【００２２】
リモコン制御部２１は、利用者にＧＵＩ環境を提供するために、タッチパネル２７からの操作入力情報を操作制御部２６を介して受け取ると、内部のＲＯＭに用意されている画像データや、操作入力情報に応じた処理結果を反映させた画像データをビデオＲＡＭにビットマップ展開するとともに、ＬＣＤドライバ２４を制御してこのビットマップ画像をＬＣＤ２５に表示出力させる。リモコン制御部２１は、ＧＵＩを介して利用者と対話しながら楽曲索引データベースを検索し、最終的に１つのカラオケ楽曲が利用者により特定されると、その楽曲の映像作品についての説明画面を表示する。
【００２３】
図５に電子目次本を使用してカラオケ映像作品を指定する際のユーザインタフェース環境をタッチパネルに表示される画面遷移図によって示した。利用者が５０音索引形式で曲名をその頭文字から入力して検索対象を絞っていき（Ａ〜Ｃ）、最終的にリクエスト曲を特定すると、そのリクエスト曲に対応付けされているカラオケ映像作品のサムネイル（画像見本）３１を含んだ説明画面（Ｄ）が表示される。この例では、説明画面（Ｄ）に表示されている各カラオケ映像作品のサムネイル（画像見本）３１のいずれかをタッチすると、その作品内容についての説明文３２が表示され（Ｅ）、この状態で「専用映像で予約」３３ボタンをタッチすると、リモコン制御部２１がリクエスト曲の楽曲ＩＤとタッチ入力された位置に応じた映像選択情報とを含んだコードを生成し、そのコードをＬＥＤドライバ２８に転送する。ＬＥＤドライバ２８は、このコードの変調信号をＬＥＤ２９に与えて、カラオケ装置１に演奏予約のための無線信号を送信させる。したがって利用者は、選択肢番号などの映像選択情報を意識することなく、リクエスト楽曲の演奏時に希望のカラオケ映像作品を上映させることができる。そして、リクエスト楽曲とその演奏時に上映するカラオケ映像作品の映像選択情報とを待ち行列に登録した旨の確認画面（Ｆ）を表示する。なお、専用のカラオケ映像作品を上映させたくない場合は、先の説明画面（Ｄ，Ｅ）で「通常映像で予約」ボタン３４を指示する。
【００２４】
＝＝＝変更例２＝＝＝
カラオケ装置に映像ＩＤと映像選択情報とを与えるためのユーザインタフェースとしては、カラオケ装置に付属のリモコン送信器やカラオケ装置本体の操作パネルに限るものではない。利用者が個人所有する形態のリモコン送信器であってもよい。また、最近では、ブラウザとＪａｖａ実行環境とを実装するとともに、リモコン信号の送信機能を備えた携帯電話機もあり、この携帯電話機（多機能携帯電話機）をカラオケ装置用のユーザインタフェースとして使用することもできる。
【００２５】
次にこの多機能携帯電話機を使用して、カラオケ楽曲に専用のカラオケ映像作品が対応付けされていることを告知したり、映像選択情報を楽曲ＩＤとともにカラオケ装置に登録する実施形態を示す。図６にこの実施形態における各装置間での通信手順図を示した。多機能携帯電話機４０にはあらかじめ、カラオケ装置１用のリモコン送信器として機能するソフトウエア（カラオケリモコンソフト）がＪａｖａアプレットなどとしてインストールされているものとする。また、カラオケ事業者によって、インターネットや携帯電話網にカラオケ装置１におけるカラオケ映像データベースと同様のデータベースを備えるとともに、アクセスしてきたブラウザにカラオケ映像データベースに関連する適宜なデータを返送するためのＷｅｂサーバー４１が設置されているものとする。
【００２６】
多機能携帯電話機４０には、カラオケリモコンソフトにより、カラオケ楽曲の曲名と楽曲ＩＤとが記憶され、記憶したカラオケ楽曲を呼び出してその楽曲を演奏予約させるための指示を行うと、ブラウザを起動し、所定のＵＲＬを指定して多機能携帯電話機４０をカラオケ事業者のＷｅｂサーバー４１にアクセスさせる。そして、Ｗｅｂサーバー４１にリクエスト曲の楽曲ＩＤを与える（ｓ１，ｓ２）。
【００２７】
Ｗｅｂサーバー４１は、この楽曲ＩＤを自身のカラオケ映像データベースに紹介して対応するカラオケ映像作品があれば、そのカラオケ映像作品についての内容説明が記載されたＷｅｂページを返送する（ｓ３，ｓ４→ｓ５）。このＷｅｂページに含まれるカラオケ映像作品の内容説明の部分には映像選択情報が対応付けされており、利用者がこのＷｅｂページの画面上で、適宜な説明部分を指示すると、多機能携帯電話機４０は、カラオケリモコンソフトにより、リクエスト曲の楽曲ＩＤと指示された箇所に対応付けされている映像選択情報とを含んだリモコン信号を送信する（ｓ６〜ｓ８）。またＷｅｂサーバー４１は、多機能携帯電話機４０が送付してきた楽曲ＩＤに対応する映像作品がない場合は、その旨の情報を返送し、多機能携帯電話機４０は、楽曲ＩＤのみを含んだリモコン信号を送信する（ｓ４→ｓ９，ｓ１０）。そして、カラオケ装置１は多機能携帯電話機４０から受け付けた楽曲ＩＤ、あるいは楽曲ＩＤと映像選択情報とを待ち行列に登録する（ｓ１１）。
【００２８】
＝＝＝その他の実施形態＝＝＝
カラオケ映像作品を歌詞字幕の背景映像として表示せず、歌詞字幕とは個別のディスプレイに表示することとしてもよい。この場合、歌詞字幕を表示するディスプレイには歌詞字幕だけを表示してもよいし、楽曲ＩＤのみを指定したときに適用される背景映像を表示してもよい。
【００２９】
上記実施例では映像データは全て同じデータ形式であり、全ての映像データファイルがハードディスク装置に格納されていた。この構成に限らず、楽曲専用のカラオケ映像作品については高画質なデータ形式（ＭＰＥＧ２など）で作成された映像データとしたり、カラオケ映像作品はＤＶＤなどの媒体に格納したりするなど、データ形式やデータ格納形態は適宜に変更可能である。
【００３０】
また、カラオケ装置には映像データの所在を識別管理するためのカラオケ映像データベースさえあればよく、映像データ自体は外部の記憶資源に蓄積しておく構成としてもよい。例えば、複数のカラオケ装置が設置されているカラオケ店舗内にＬＡＮを構築し、カラオケ装置をＬＡＮに接続する。そして、ＬＡＮ上に大規模な記憶装置を備えたサーバー装置を設置し、ここに映像データを格納する。あるいは、カラオケ装置にインターネット接続機能を備えさせ、インターネット上のＷｅｂサーバーなどに映像データを格納することも考えられる。この場合、映像ＩＤとしてＵＲＬを記載すればよい。なお、ネットワークを介して映像データを取り寄せる形態では、カラオケ楽曲を演奏する前に映像データをカラオケ装置に転送しておいたり、カラオケ楽曲の演奏と同期しながら転送・復号したりするように構成すればよい。
【００３１】
リモコン信号の送信機能を備えた携帯電話機をユーザインタフェースとして使用する形態において、携帯電話機とカラオケ装置とにブルートゥース規格などの短距離無線通信インタフェースが実装されていれば、カラオケ装置にて管理されている音楽映像対応関係情報を携帯電話機に送って、リクエスト曲に対応付けされているカラオケ映像作品を利用者に告知させたり、利用者が指定したカラオケ映像作品をリクエスト曲の演奏時に上映することができる。例えば、カラオケ装置とが通信リンクを確立した状態で携帯電話機にてリクエスト曲を指定すると、カラオケ装置にリクエスト曲の楽曲ＩＤを送信する。カラオケ装置は、携帯電話機から楽曲ＩＤを受け取ると、そのＩＤに対応付けされているカラオケ映像作品の映像選択情報や内容説明の情報を携帯電話機に返送する。携帯電話機では、カラオケ映像作品の内容情報を表示し、利用者が任意のカラオケ映像作品を指示すると、リクエスト曲の楽曲ＩＤと該当の映像選択情報とをカラオケ装置に送信して待ち行列に登録させる。
【００３２】
【発明の効果】
本発明のカラオケ装置によれば、個々の楽曲に合わせて制作された楽曲専用のカラオケ映像作品を利用者に提示するとともに利用者に選択してもらうことができる。あるカラオケ楽曲を演奏するときには、その楽曲用に制作されたカラオケ映像作品のグループの中から希望の映像作品を選出する手続きをきわめて合理的に処理でき、使い勝手がよいとともに、そのユーザインタフェースのプロセス自体にも新たな趣味性を持たせることができる。
【図面の簡単な説明】
【図１】本発明の実施例におけるカラオケ装置の機能ブロック図である。
【図２】上記実施例にて管理されているカラオケ音楽データベースと音楽映像対応関係情報の構造図である。
【図３】上記実施例のカラオケ装置とともに利用されるカラオケ目次本の記載内容の概略図である。
【図４】上記実施例の変更例１に適用される電子目次本の外観図と機能ブロック図である。
【図５】上記電子目次本におけるユーザインタフェースの概略図である。
【図６】上記実施例の変更例２における通信手順図である。
【符号の説明】
１　カラオケ装置
２　中央制御部
３　ハードディスク装置
５　リモコン送信器
８　シンセサイザ
９　ミキシングアンプ
１２　ビデオＲＡＭ
１３　映像制御部
１４　ディスプレイ
【図１】
2004004270.tif 000003
【図２】
2004004270.tif 000004
【図３】
2004004270.tif 000005
【図４】
2004004270.tif 000006
【図５】
2004004270.tif 000007
【図６】
2004004270.tif 000008